(57)【要約】【課題】玉を貸し出して遊技を行う従来システムとは異なる、全く新しい遊技場システムを提供する。【解決手段】中央管理装置１０は、ホストコンピュータであって、遊技場に設置されている遊技ユニット２０や遊技記録媒体発行機３０、遊技記録媒体精算機５０などと通信回線を介して接続されている。また、中央管理装置１０は、接続される機器との間で双方向に通信可能であり、かかる機器からの情報に従ってこれら機器の動作を集中的に管理することが可能となっている。そして、中央管理装置１０は、遊技者ごとに発行された遊技記録媒体に記録された識別情報に基づいて、支払金額に対応した所定の時間だけ遊技ユニット２０における遊技を許可するとともに、かかる遊技ユニット２０を動作制御する。したがって、遊技者は、所定料金で所定時間遊技可能である。【選択図】図１
2005087645.tif 000002
【特許請求の範囲】
【請求項１】
複数の遊技ユニットと、
前記複数の遊技ユニットと通信回線を介して接続され、各遊技ユニットとの間で双方向に通信可能な中央管理装置とを備え、
前記中央管理装置は、遊技者による遊技時間に対応した所定料金の支払いに応じて発行された遊技記録媒体に記録された識別情報に基づいて、支払金額に対応した所定時間だけ前記遊技ユニットにおける遊技を許可するとともに、かかる遊技ユニットを動作制御することにより、所定料金で所定時間遊技可能であることを特徴とする遊技場システム。
【請求項２】
複数の遊技ユニットと、
遊技者に遊技記録媒体を発行する遊技記録媒体発行機と、
遊技の精算を行う遊技記録媒体精算機と、
前記複数の遊技ユニットと遊技記録媒体発行機と遊技記録媒体精算機とが通信回線を介して接続され、各遊技ユニットとの間、遊技記録媒体発行機との間、遊技記録媒体精算機との間で双方向に通信可能であり、接続される機器からの情報に従ってこれら機器の動作を集中的に管理する中央管理装置と、
を含む遊技場システムであって、
前記遊技記録媒体発行機は、遊技者が所定金額の貨幣を投入したときに、識別情報が記録された遊技記録媒体を発行し、
前記複数の遊技ユニットは、遊技ユニットごとに設置されるとともに前記中央管理装置に接続される遊技記録媒体管理端末を備え、この遊技記録媒体管理端末に前記遊技記録媒体が投入されたときに、遊技記録媒体に記録された識別情報を読み取ることによって投入金額に応じた所定時間だけ遊技可能とし、所定時間経過して遊技が終了したときに、中央管理装置に遊技結果を記録し、
前記遊技記録媒体精算機は、遊技者が前記遊技記録媒体を投入したときに、前記遊技記録媒体に記録された識別情報を読み取り、この識別情報に基づいて中央管理装置に記録された遊技結果を参照して、遊技の精算を行うことを特徴とする遊技場システム。
【請求項３】
請求項１又は２に記載の遊技場システムにおいて、
前記複数の遊技ユニットは、遊技場の専用エリア内に設置され、
前記遊技場には、遊技に使用される遊技媒体の専用エリア外への移動を防止する遊技媒体移動防止手段が設置されていることを特徴とする遊技場システム。
【請求項４】
請求項１又は２に記載の遊技場システムにおいて、
前記遊技ユニットには、遊技ユニットごとに遊技媒体計数手段が設置され、遊技媒体を遊技ユニットから移動することなく遊技媒体の計数が可能であることを特徴とする遊技場システム。
【請求項５】
複数の遊技ユニットと、
遊技者に遊技記録媒体を発行する遊技記録媒体発行機と、
遊技の精算を行う遊技記録媒体精算機と、
前記複数の遊技ユニットと遊技記録媒体発行機と遊技記録媒体精算機とが通信回線を介して接続され、各遊技ユニットとの間、遊技記録媒体発行機との間、遊技記録媒体精算機との間で双方向に通信可能であり、接続される機器からの情報に従ってこれら機器の動作を集中的に管理するホストコンピュータである中央管理装置と、
を備える遊技場システムの制御方法であって、
前記中央管理装置は、
前記遊技記録媒体発行機を制御して、遊技者が所定金額の貨幣を投入したときに、遊技者に対して識別情報が記録された遊技記録媒体を発行するステップと、
前記複数の遊技ユニットごとに設置されるとともに前記中央管理装置に接続される遊技記録媒体管理端末を制御して、この遊技記録媒体管理端末に前記遊技記録媒体が投入されたときに、遊技記録媒体に記録された識別情報を読み取ることによって、投入金額に応じた所定時間だけ遊技ユニットを遊技可能とするステップと、
遊技開始から所定時間経過して遊技が終了したときに、前記遊技記録媒体管理端末を制御して中央管理装置に遊技結果を記録させるステップと、
前記遊技記録媒体精算機を制御して、遊技者が前記遊技記録媒体精算機に前記遊技記録媒体を投入したときに、前記遊技記録媒体に記録された識別情報を読み取り、この識別情報に基づいて中央管理装置に記録された遊技結果を参照して、遊技の精算を行うステップと、
を実行することにより、所定料金で所定時間遊技を許可するようにしたことを特徴とする遊技場システムの制御方法。
【発明の詳細な説明】
【技術分野】
【０００１】
本発明は、パチンコやスロットマシン、アレンジボールなどが設置される遊技場で用いられる遊技場システムおよび遊技場システムの制御方法に関するものである。
【背景技術】
【０００２】
従来から、パチンコ玉やメダルなどの遊技媒体を遊技ユニットに投入して遊技をおこなうパチンコ台やスロットマシンなどの遊技ユニットが知られている。これらの遊技ユニットが配置されたパチンコ店などの遊技場においては、通常、遊技者は玉貸機などの自動機に現金を投入してパチンコ玉などの遊技媒体を借り受け、パチンコ台などの遊技ユニットで遊技し、遊技終了時に獲得した遊技媒体の数に応じて景品の交換を行うことが行われている。
【０００３】
このような遊技場では、近年、顧客の趣向の多様化が進んできており、多種多様な顧客の需要に応ずることによって顧客の趣向を満足させようとする試みが多く成されている。
【０００４】
例えば、下記特許文献１には、様々な顧客の特性（少ない遊技媒体で長時間遊技を楽しみたい顧客や、多めの遊技媒体を使用してもより多くの賞球を獲得したい顧客など）に応じた遊技の提供を行うために、特賞獲得確立が高い種類の遊技台と、獲得確立が低い種類の遊技台のいずれにおいても遊技客が充分な遊技媒体を獲得し易いようにした遊技場システムが開示されている。具体的には、遊技場のエリアを分割してエリアごとに遊技媒体の景品交換率を変更し、さらに、カードシステムを使用することによってシステムの効率化を図る技術が示されている。
【０００５】
【特許文献１】特開平０９−１９２３２４号公報
【発明の開示】
【発明が解決しようとする課題】
【０００６】
しかしながら、上記特許文献１に記載された技術は、遊技者が遊技媒体を借り受けて遊技を行うという既存のパチンコシステムを前提としたものであり、新たな娯楽を提供して顧客の満足度を向上させることは不十分であった。すなわち、従来から提案されている遊技場システムでは、例えば、空き時間を利用して気軽に娯楽を楽しむというレジャー指向の顧客や、一定時間の空き時間を埋めるための暇つぶしとして娯楽を楽しむという顧客を取り込むことができていなかった。
【０００７】
本発明は、従来の遊技媒体を貸し出すシステムとは異なった、全く新しい遊技場システムを提供する。
【課題を解決するための手段】
【０００８】
本発明に係る遊技場システムは、複数の遊技ユニットと、前記複数の遊技ユニットと通信回線を介して接続され、各遊技ユニットとの間で双方向に通信可能な中央管理装置とを備え、前記中央管理装置は、遊技者による遊技時間に対応した所定料金の支払いに応じて発行された遊技記録媒体に記録された識別情報に基づいて、支払金額に対応した所定時間だけ前記遊技ユニットにおける遊技を許可するとともに、かかる遊技ユニットを動作制御することにより、所定料金で所定時間遊技可能であることを特徴とする。
【０００９】
すなわち、本発明に係る遊技場システムは、従来の玉貸しやメダル貸しというパチンコシステム（以下、玉単位貸しシステムという）の形態とは全く異なり、遊技ユニット（パチンコ台やスロットマシンなど）を時間貸しするという全く新しい遊技形態を提供するものである。本発明に係る遊技場システム（以下、時間単位貸しシステムという）によれば、所定料金で所定時間遊技ユニットを使用することができ、その間における遊技ユニットの動作は、中央管理装置によって制御される。
【００１０】
また、本発明に係る他の遊技場システムは、複数の遊技ユニットと、遊技者に遊技記録媒体を発行する遊技記録媒体発行機と、遊技の精算を行う遊技記録媒体精算機と、前記複数の遊技ユニットと遊技記録媒体発行機と遊技記録媒体精算機とが通信回線を介して接続され、各遊技ユニットとの間、遊技記録媒体発行機との間、遊技記録媒体精算機との間で双方向に通信可能であり、接続される機器からの情報に従ってこれら機器の動作を集中的に管理する中央管理装置と、を含むシステムであって、前記遊技記録媒体発行機は、遊技者が所定金額の貨幣を投入したときに、識別情報が記録された遊技記録媒体を発行し、前記複数の遊技ユニットは、遊技ユニットごとに設置されるとともに前記中央管理装置に接続される遊技記録媒体管理端末を備え、この遊技記録媒体管理端末に前記遊技記録媒体が投入されたときに、遊技記録媒体に記録された識別情報を読み取ることによって投入金額に応じた所定時間だけ遊技可能とし、所定時間経過して遊技が終了したときに、中央管理装置に遊技結果を記録し、前記遊技記録媒体精算機は、遊技者が前記遊技記録媒体を投入したときに、前記遊技記録媒体に記録された識別情報を読み取り、この識別情報に基づいて中央管理装置に記録された遊技結果を参照して、遊技の精算を行うことを特徴とする。
【００１１】
本発明は、例えば、時間単位貸しシステムの専門店に適用される場合を考慮したものである。
【００１２】
また、上記遊技場システムにおいて、前記複数の遊技ユニットは、遊技場の専用エリア内に設置され、前記遊技場には、遊技に使用される遊技媒体の専用エリア外への移動を防止する遊技媒体移動防止手段が設置されていることを特徴とする。
【００１３】
すなわち、本発明は、玉単位貸しシステムを採用する既存の遊技ユニットと時間単位貸しシステムを採用する新たな遊技ユニットが併設される店舗形態に適用される場合を考慮したものである。本発明によれば、例えば、遊技場のエリア分けを行い、ＩＣチップを用いた警報装置などの遊技媒体移動防止手段を設けることによって、単価の異なる玉単位貸しシステムと時間単位貸しシステムにおける遊技媒体の混入を防止することができるので、両システムが混在する店舗形態を採用することが可能となる。
【００１４】
一方、上記遊技場システムにおいて、前記遊技ユニットには、遊技ユニットごとに遊技媒体計数手段が設置され、遊技媒体を遊技ユニットから移動することなく遊技媒体の計数が可能であることが好適である。
【００１５】
すなわち、本発明も、玉単位貸しシステムを採用する既存の遊技ユニットと時間単位貸しシステムを採用する新たな遊技ユニットが併設される店舗形態に適用される場合を考慮したものであるが、本発明では、遊技ユニットごとに遊技媒体計数手段を設置したので、遊技場のエリア分けや遊技媒体移動防止手段を設けることなく両システムが混在する店舗形態を実現することが可能となる。
【００１６】
本発明に係る遊技場システムの制御方法は、複数の遊技ユニットと、遊技者に遊技記録媒体を発行する遊技記録媒体発行機と、遊技の精算を行う遊技記録媒体精算機と、前記複数の遊技ユニットと遊技記録媒体発行機と遊技記録媒体精算機とが通信回線を介して接続され、各遊技ユニットとの間、遊技記録媒体発行機との間、遊技記録媒体精算機との間で双方向に通信可能であり、接続される機器からの情報に従ってこれら機器の動作を集中的に管理するホストコンピュータである中央管理装置と、を備える遊技場システムを制御する方法であって、前記中央管理装置は、前記遊技記録媒体発行機を制御して、遊技者が所定金額の貨幣を投入したときに、遊技者に対して識別情報が記録された遊技記録媒体を発行するステップと、前記複数の遊技ユニットごとに設置されるとともに前記中央管理装置に接続される遊技記録媒体管理端末を制御して、この遊技記録媒体管理端末に前記遊技記録媒体が投入されたときに、遊技記録媒体に記録された識別情報を読み取ることによって、投入金額に応じた所定時間だけ遊技ユニットを遊技可能とするステップと、遊技開始から所定時間経過して遊技が終了したときに、前記遊技記録媒体管理端末を制御して中央管理装置に遊技結果を記録させるステップと、前記遊技記録媒体精算機を制御して、遊技者が前記遊技記録媒体精算機に前記遊技記録媒体を投入したときに、前記遊技記録媒体に記録された識別情報を読み取り、この識別情報に基づいて中央管理装置に記録された遊技結果を参照して、遊技の精算を行うステップと、を実行することにより、所定料金で所定時間遊技を許可するようにしたことを特徴とする。
【発明の効果】
【００１７】
本発明によれば、既存のパチンコシステムとは一線を画した、レジャー志向型の全く新しいシステムを提供することができる。
【発明を実施するための最良の形態】
【００１８】
本発明を実施するための最良の実施形態について、図面を用いて説明する。なお、本実施形態では、パチンコに本発明を適用した場合を例示して説明するが、本発明は、スロットマシンやアレンジボールなどの他の遊技にも適用可能である。
【００１９】
第１の実施形態
本実施形態では、本発明が時間単位貸しシステムの専門店に適用される場合を例示して説明する。図１は、本実施形態に係る遊技場システムの概略構成を示す図である。
【００２０】
まず、本実施形態に係る遊技場システムを構成する機器を説明する。
【００２１】
本実施形態に係る遊技場システムは、システム全体を管理する中央管理装置１０を備えている。この中央管理装置１０は、ホストコンピュータであって、遊技場に設置されている遊技ユニット２０や遊技記録媒体発行機３０、遊技記録媒体精算機５０などと通信回線を介して接続されている。中央管理装置１０は、遊技ユニット２０との間、遊技記録媒体発行機３０との間、遊技記録媒体精算機５０などとの間で双方向に通信可能であり、接続される機器からの情報に従ってこれら機器の動作を集中的に管理することが可能となっている。
【００２２】
遊技記録媒体発行機３０は、遊技者に対して遊技記録媒体を発行するための装置である。この遊技記録媒体発行機３０は、貨幣投入口３１と遊技記録媒体発行口３２とを備えており、遊技者が所定金額の紙幣や硬貨を貨幣投入口３１に投入することによって遊技記録媒体発行口３２から遊技記録媒体が発行される。発行される遊技記録媒体は、例えば、ＩＣチップや磁気メモリが内蔵されたカード形状の媒体である。このカード形状の媒体にはカード固有の識別情報が記録されており、この識別情報に基づいて遊技情報が管理されることになる。なお、本実施形態では、遊技ユニット２０を時間単位で貸し出すことを特徴とするシステムであるので、このカードのことを、以下、タイムカードと言う。
【００２３】
遊技ユニット２０は、遊技場に複数設置されており、遊技者に対してパチンコなどの遊技を提供する。これら複数の遊技ユニット２０には、遊技ユニット２０ごとに設置されるとともに中央管理装置１０に接続される遊技記録媒体管理端末２１と台間玉貸機２５と遊技台２８とが備わっている。
【００２４】
遊技記録媒体管理端末２１は、タイムカード挿入口２２を備えており、このタイムカード挿入口２２にタイムカードが挿入されることによってタイムカードに記録されたカード固有の識別情報を読み取ることができる。また、遊技記録媒体管理端末２１は、中央管理装置１０と双方向に通信可能であるので、読み取ったカード固有の識別情報を中央管理装置１０に送信してタイムカードに対する投入金額を照会し、投入金額に対応した遊技可能時間を取得する。取得した遊技可能時間は、遊技記録媒体管理端末２１が備える遊技時間表示パネル２３に表示することができ、遊技者に対して遊技可能な残り時間が告知される。さらに、遊技記録媒体管理端末２１は、差玉表示パネル２４を備えており、現時点での遊技成績についても遊技者に告知することが可能である。
【００２５】
台間玉貸機２５は、遊技記録媒体管理端末２１が取得した遊技可能な時間中、遊技媒体であるパチンコ玉を遊技台２８に対して供給する。供給方法としては、タイムカードがタイムカード挿入口２２に挿入されることによって中央管理装置１０がカード固有の識別情報を認識し、所定時間遊技を許可する状態となったときに、遊技者が台間玉貸機２５に設置される遊技開始ボタン２６を押下することによって遊技台２８にパチンコ玉の供給が開始される。なお、遊技台２８に供給される貸玉数と出玉数（入賞した当たり玉の数）および入玉数（外れたアウト玉の数）は、全て遊技台２８の動作制御を行っている中央管理装置１０が把握しており、中央管理装置１０が遊技台２８に対するパチンコ玉の供給量を制御することによって、一定量のパチンコ玉が常に確保されることになる。
【００２６】
また、台間玉貸機２５には、精算ボタン２７が設置されており、所定時間経過して遊技終了となったときにこの精算ボタン２７を押下することによって、遊技台２８に残っているパチンコ玉は全て排出されることになる。
【００２７】
遊技終了によって排出されたパチンコ玉は、遊技場に設置された計数機４０に投入され、玉数が計数されることになる。この計数機４０は、タイムカード挿入口４１が設けられているとともに中央管理装置１０に通信回線を介して接続されているので、遊技者（あるいは店員）は、このタイムカード挿入口４１にタイムカードを挿入した状態でパチンコ玉を計数することになる。この計数結果は、カード固有の識別情報とともに中央管理装置１０に送信され、精算時のデータとして活用される。
【００２８】
なお、本実施形態では、遊技記録媒体管理端末２１と台間玉貸機２５とを別体とする場合を例示して説明しているが、これらを一体型として構成することも可能である。
【００２９】
遊技記録媒体精算機５０は、遊技結果に基づいて遊技の精算を行うための装置である。この遊技記録媒体精算機５０には、タイムカード挿入口５１と精算書排出口５２が設置されており、さらに、遊技記録媒体精算機５０は中央管理装置１０と双方向に通信可能である。したがって、遊技者がタイムカードをタイムカード挿入口５１に挿入すると、遊技記録媒体精算機５０はカード固有の識別情報を中央管理装置１０に送信し、カード固有の識別情報を取得した中央管理装置１０は識別情報に基づいて遊技結果を算出し、その結果を精算書として遊技記録媒体精算機５０から排出させることになる。遊技者は、この精算書に基づいて精算を行い、遊技結果に基づいて景品などを受け取ることになる。
【００３０】
続いて、遊技の流れに従って、本実施形態に係る遊技場システムのより詳細な説明を行う。
【００３１】
遊技者は、まず、タイムカードの発行を受けるために遊技記録媒体発行機３０の貨幣投入口３１に対して所定金額の紙幣あるいは硬貨を投入する。所定金額の貨幣の投入を確認した遊技記録媒体発行機３０は、中央管理装置１０に対して入金データを送信する。入金データを受信した中央管理装置１０は、遊技記録媒体発行機３０を動作させてタイムカードを発行させる。タイムカードには、カード固有のそのカードを特定するための識別情報、例えば、ＩＤ番号が付与され、以後このＩＤ番号に基づいて遊技情報が管理されることになる。なお、入金する金額は遊技者が選択可能である。例えば、千円で１時間分の遊技が可能な場合、遊技者は、千円単位であらかじめ入金しておき、入金した範囲内で好きなときに好きなだけ遊技することが可能である。このとき、入金データは全て、ＩＤ番号に対応した形式で中央管理装置１０に蓄積されることになる。
【００３２】
タイムカードを取得した遊技者は、遊技記録媒体管理端末２１のタイムカード挿入口２２に対してタイムカードを挿入する。タイムカードが挿入された遊技記録媒体管理端末２１は、タイムカードに記録されているＩＤ番号を読み出し、中央管理装置１０に対してＩＤ番号を送信する。遊技記録媒体管理端末２１に挿入されたタイムカードのＩＤ番号を取得した中央管理装置１０は、ＩＤ番号に基づいて投入金額を確認し、遊技可能時間を算出する。そして、中央管理装置１０は、遊技記録媒体管理端末２１に対して遊技許可時間情報を送信するとともに、台間玉貸機２５を動作可能な状態とする。また、遊技許可時間情報を受け取った遊技記録媒体管理端末２１は、遊技時間表示パネル２３に遊技可能な時間を表示するとともに、差玉表示パネル２４を起動させて表示可能な状態とする。なお、この時点で本実施形態に係る遊技場システムは、遊技可能な状態が整ったことになる。
【００３３】
続いて、遊技者は、台間玉貸機２５が備える遊技開始ボタン２６を押下する。遊技開始ボタン２６が押下されると、遊技時間表示パネル２３に表示された遊技許可時間のカウントダウンが開始されるとともに、台間玉貸機２５から遊技台２８に対してパチンコ玉の供給が開始される。したがって、この時点から、遊技者は遊技を開始することが可能となる。なお、本実施形態では、遊技許可時間の管理は中央管理装置１０が行っているが、遊技記録媒体管理端末２１あるいは遊技ユニット２０側で管理し、その結果を中央管理装置１０に送信することとしても良い。
【００３４】
遊技中は、中央管理装置１０が台間玉貸機２５と遊技台２８の動作を制御することによって、遊技台２８中に存在するパチンコ玉の玉数が一定量となるように制御されることになる。この制御は、本発明が遊技ユニット２０の時間単位貸しという概念を導入したことによって初めて必要となったものであり、従来の玉単位貸しを行う遊技場システムでは遊技者が行っていたものである。
【００３５】
例えば、本実施形態に係る遊技場システムでは、パチンコ玉の１回の供給量を２５０球ずつに設定し、遊技台２８中に存在するパチンコ玉の数を常に４００球以下となるように制御することが可能である。つまり、入玉数が多いとき（外れが多く、負けているとき）には遊技台２８中のパチンコ玉の数を一定量に保つために台間玉貸機２５からパチンコ玉が供給され、出玉数が多いとき（入賞が多く、勝っているとき）にはパチンコ玉を遊技台２８から排出することによって遊技台２８中のパチンコ玉の数を一定量に保つことができる。なお、遊技台２８からの排出については、中央管理装置１０が遊技台２８を制御することによって自動的に行っても良いし、遊技者自らが排出しなければならないというルール決めを行い、遊技者が排出を行わずに遊技台２８中のパチンコ玉の数が一定量を超えた場合には中央管理装置１０が遊技を中断し、警報などによって遊技者に対して排出を促すこととしても良い。
【００３６】
遊技時間表示パネル２３に表示された遊技許可時間がゼロとなると、台間玉貸機２５からのパチンコ玉の供給が停止されるので、遊技者は遊技を終了しなければならない。そこで、遊技者は、精算ボタン２７を押下することによって遊技を終了する。精算ボタン２７が押下されると、遊技台２８中に存在するパチンコ玉は全て遊技台２８の外に排出されることになる。
【００３７】
なお、遊技許可時間がゼロとなった時点で遊技者が遊技を続けたい場合には、次のような装置構成とすることによって、遊技を継続可能とすることもできる。すなわち、遊技記録媒体管理端末２１や台間玉貸機２５に貨幣投入口（不図示）を設けておき、遊技者が貨幣を投入することによってこの投入金額が中央管理装置１０に登録され、投入金額に対応した遊技許可時間を購入することが可能である。このような構成とすることによって、たとえ遊技許可時間がなくなったとしても、遊技を中断せずに継続した遊技が可能となる。
【００３８】
遊技を終了した遊技者は、排出したパチンコ玉とタイムカードを持って計数機４０に移動する。この計数機４０には、タイムカード挿入口４１が設けられているとともに中央管理装置１０に通信回線を介して接続されているので、遊技者（あるいは店員）は、このタイムカード挿入口４１にタイムカードを挿入した状態でパチンコ玉を計数することになる。この計数結果は、カード固有の識別情報とともに中央管理装置１０に送信され、精算時のデータとして活用される。
【００３９】
最後に遊技者は、遊技の精算を行う。遊技者がタイムカードを遊技記録媒体精算機５０が備えるタイムカード挿入口５１に挿入すると、遊技記録媒体精算機５０はタイムカードのＩＤ番号を中央管理装置１０に送信し、ＩＤ番号を取得した中央管理装置１０はＩＤ番号に基づいて遊技結果を算出し、その結果を精算書として遊技記録媒体精算機５０から排出させることになる。中央管理装置１０は、あらかじめ設定された算出式に基づいて遊技結果の算出を行うことができる。算出式については、中央管理装置１０が貸玉数、出玉数、入玉数、排出玉数などを把握しているので、あらゆる算出式に基づいて遊技の勝敗を決することが可能である。例えば、貸玉数と出玉数の差である差玉数を求めることにより、その数値によって勝敗を決することもできる。また、景品のランクについても、（出玉数÷貸玉数）×払込金額  などの数式の解を求めて決定することが可能である。遊技者は、精算書に記載された結果に基づいて精算を行い、遊技結果に基づいて景品などを受け取ることになる。
【００４０】
なお、本実施形態では、遊技終了の際にパチンコ玉を排出し、計数機４０に計数させて遊技の精算を行う場合を例示して説明した。このような構成としたのは、既存の遊技台をなるべく流用した形で本発明を実施するためである。したがって、貸玉数、出玉数、入玉数、排出玉数などを全て中央管理装置１０に管理させ、パチンコ玉の計数をすることなく遊技の精算を実施することも可能である。つまり、遊技台の型式をパチンコ玉が外に出ることのない封入式のものにすることも可能である。
【００４１】
また、本実施形態では、遊技記録媒体としてタイムカードを用いた場合を例示して説明した。しかしながら、結果として遊技者を特定できるものであればどのようなものを採用しても良く、例えば、指紋照合や血管照合、光彩照合、網膜照合、顔相照合、携帯バーコードを用いたものなど、個人や特定媒体を認証できるものであればどのような方式であっても採用することが可能である。
【００４２】
さらに、本実施形態では、遊技記録媒体としてのタイムカードには、カード固有の識別情報としてＩＤ番号のみを記憶させ、その他の情報は全て中央管理装置１０に記憶させてシステムを運用する場合を例示した。しかしながら、投入金額や遊技可能時間、遊技結果などの情報については、タイムカードに記憶させることとしても良い。
【００４３】
またさらに、本実施形態では、中央管理装置１０がシステム全体を管理するように構成したが、例えば、遊技ユニット２０にコンピュータを内蔵させ、このコンピュータに遊技ユニット２０の動作管理を実行させ、中央管理装置１０は、システム全体の監視を行う程度の構成とすることも可能である。また、中央管理装置１０は、遊技場システムに１台設けられ、システム全体を管理するように構成しても良いし、遊技ユニット２０などの複数台に１台の単位で中央管理装置１０が設けられ、複数台の中央管理装置１０で遊技場システムを管理することとしても良い。
【００４４】
第２の実施形態
前述した第１の実施形態では、本発明が時間単位貸しシステムの専門店に適用される場合を例示して説明した。本実施形態では、既存の玉単位貸しシステムと本発明に係る時間単位貸しシステムを併設した店舗形態の場合を例示して説明する。なお、本実施形態は、第１の実施形態で説明した遊技場システムをそのまま併設店に適用するものであるので、前述した実施形態と同一あるいは類似する部材については同一符号を用いて説明を省略する。
【００４５】
ところで、前述した第１の実施形態で示した遊技場システムでは、遊技媒体であるパチンコ玉を全て排出し、計数機４０に移動して精算を行う場合があることを説明した。しかしながら、玉単位貸しを行う既存システムの場合と、時間単位貸しを行う本発明のシステムではパチンコ玉の単価が大きく異なるため、両システムにおけるパチンコ玉の混入を完全に防止する必要がある。特に、本発明に係る時間単位貸しシステムでは、遊技許可時間内でパチンコ玉を制限無く貸し出すことが可能なので、玉単価の高い既存の玉単位貸しシステム内に時間単位貸しシステムで得たパチンコ玉を持ち込まれることは好ましくない。
【００４６】
そこで、本実施形態では、既存の玉単位貸しシステムが設置されるエリアと、本発明に係る時間単位貸しシステムが設置されるエリアを明確に分けるとともに、エリア間を遊技媒体が行き来できないようにする構成とした。
【００４７】
図２は、本実施形態に係る遊技場システムが適用される店舗のレイアウトを例示する図である。本実施形態で特徴的なことは、既存の玉単位貸しシステムと本発明に係る時間単位貸しシステムとを併設した遊技場６０が、それぞれ玉単位貸しシステム専用エリア６１と時間単位貸しシステム専用エリア６２とに分割されていることである。また、遊技場６０には、遊技に使用される遊技媒体を専用エリア６１，６２外に移動することを防止するための遊技媒体移動防止手段６３を設置することとした。
【００４８】
遊技媒体移動防止手段６３は、例えば、遊技媒体を入れる玉箱にＩＣチップを埋め込んでおき、玉箱がゲートを超えるとアラームが鳴るように構成したものや、玉箱を色分けして監視カメラで監視すること、あるいは、フロアや壁などを色分けし、監視カメラで監視することなどが考えられる。特に、玉単価の高い既存の玉単位貸しシステムの専用エリア６１内に時間単位貸しシステムで得たパチンコ玉を持ち込まれることは好ましくないため、時間単位貸しシステムの専用エリア６２内の玉箱のみにＩＣチップを埋め込むことも、設備投資金額を抑えることができるので効果的である。
【００４９】
第３の実施形態
前述の第２の実施形態では、本発明に係る時間単位貸しの遊技場システムを既存の玉単位貸しシステムと併設した場合の店舗形態を実現するために、遊技場６０をエリア分けし、さらに、遊技場６０に遊技媒体移動防止手段６３を設けた場合を説明した。本実施形態では、第２の実施形態のように遊技場をエリア分けすることなく、しかも、遊技媒体移動防止手段６３を設けることなく既存の玉単位貸しシステムと本発明に係る時間単位貸しシステムを併設することが可能な遊技場システムについて説明する。なお、前述した実施形態と同一あるいは類似する部材については同一符号を用いて説明を省略する。
【００５０】
図３は、本実施形態に係る遊技場システムの概略構成を示す図である。図３に示すように、本実施形態で特徴的なことは、遊技ユニット２０ごとに計数機４０を設置することによって、遊技媒体を遊技ユニット２０から移動することなく遊技媒体の計数が可能であることである。このような構成とすることによって、遊技者は、遊技媒体であるパチンコ玉を持ち歩く必要がなくなるので、遊技媒体の移動の監視負担が軽減し、第２の実施形態で示したような遊技媒体移動防止手段６３を設ける必要がなくなるのである。
【００５１】
本実施形態で例示するような、遊技場のエリア分けや遊技媒体移動防止手段６３を設けることなく玉単位貸しシステムと時間単位貸しシステムを併設することが可能な遊技場システムの場合には、遊技ユニット２０について、玉単位貸しシステム用の台間玉貸機２５と時間単位貸しシステム用の台間玉貸機２５とを併設した構成とすることができる。このように構成することによって、遊技者は、１つの遊技ユニット２０で２つの遊技場システムを利用することが可能となる。また、台間玉貸機２５にシステム選択機能を設け、１つの台間玉貸機２５で両システムに対応可能とすることも可能である。
【００５２】
また、本実施形態では、出玉（入賞した当たり玉）はすぐに計数機４０に投入されるので、遊技者がパチンコ玉を所持する必要がない。また、第１の実施形態でも説明したように、遊技台２８中に存在するパチンコ玉の数は一定量に制限されているので、例えば、不正によって大量のパチンコ玉の所持を発見した場合、あるいは、中央管理装置１０で不自然な出玉データを検出した場合には、すぐに不正を発見することができる。
【００５３】
さらに、本実施形態によれば、図４に示すように、第２の実施形態と比較して専用エリア６１，６２や遊技媒体移動防止手段６３を設ける必要がなくなるので、維持管理コストの低減を図ることも可能である。
【００５４】
なお、本実施形態によれば、玉単位貸しシステムと時間単位貸しシステムを混在しても遊技者は指定エリアに縛られることはなく、自由に遊技台を選ぶことができるので、遊技者の利便性が向上する。また、店舗側にとっては、遊技台が双方のシステムで共用できるので、設備負担の軽減および設備の有効利用につながる。
【図面の簡単な説明】
【００５５】
【図１】第１の実施形態に係る遊技場システムの概略構成を示す図である。
【図２】第２の実施形態に係る遊技場システムが適用される店舗のレイアウトを例示する図である。
【図３】第３の実施形態に係る遊技場システムの概略構成を示す図である。
【図４】第３の実施形態に係る遊技場システムが適用される店舗のレイアウトを例示する図である。
【符号の説明】
【００５６】
１０  中央管理装置、２０  遊技ユニット、２１  遊技記録媒体管理端末、２２  タイムカード挿入口、２３  遊技時間表示パネル、２４  差玉表示パネル、２５  台間玉貸機、２６  遊技開始ボタン、２７  精算ボタン、２８  遊技台、３０  遊技記録媒体発行機、３１  貨幣投入口、３２  遊技記録媒体発行口、４０  計数機、４１  タイムカード挿入口、５０  遊技記録媒体精算機、５１  タイムカード挿入口、５２  精算書排出口、６０  遊技場、６１  玉単位貸しシステムの専用エリア、６２  時間単位貸しシステムの専用エリア、６３  遊技媒体移動防止手段。
【図１】
2005087645.tif 000003
【図２】
2005087645.tif 000004
【図３】
2005087645.tif 000005
【図４】
2005087645.tif 000006